(57)【要約】      （修正有）【課題】入力軸からの正・逆回転の動力は出力軸に伝達するが、入力軸と同じ方向にこれに対して回転しようとする出力軸の回転は空転して入力軸に伝達しないクラッチを提供すること。【解決手段】出力軸６に連結された２つの遊星歯車機構８を軸方向に重ねて配置し、夫々の遊星歯車機構８の太陽歯車３８は相互に反対方向に空転するよう設定された一方向クラッチ３６を介して出力軸６に連結され、入力軸４が回転したときは、その回転方向に応じて、一方の遊星歯車機構８が出力軸６と一体となって回転すると共に他方の遊星歯車機構８は空転し、出力軸６が入力軸４からの回転と同じ方向に回転したときは、一方の遊星歯車機構８の太陽歯車３８にのみ出力軸６の回転が伝達されるが、出力軸６の回転が伝達された太陽歯車３８と噛み合う遊星歯車４０が空転することで、入力軸４への回転の伝達が遮断されるようにする。【選択図】図１
2020008083.tif 000002
【特許請求の範囲】
【請求項１】
共通の中心軸の周りで回転可能な入力軸及び出力軸と、前記出力軸に連結された２つの遊星歯車機構とを備え、
前記２つの遊星歯車機構は夫々軸方向に重ねて配置され、前記出力軸に一方向クラッチを介して連結された太陽歯車、及び前記太陽歯車と噛み合う遊星歯車を備え、前記２つの遊星歯車機構の太陽歯車に配設された一方向クラッチの各々は前記出力軸に対して相互に反対の回転方向で空転するよう設定され、前記２つの遊星歯車機構の遊星歯車は夫々前記共通の中心軸の周りを回転可能な共通のキャリアによって回転可能に軸支されており、
前記入力軸には押圧片が固着されると共に前記キャリアには前記押圧片が嵌り込む凹部が形成され、前記２つの遊星歯車機構の遊星歯車は前記凹部の周方向両側に相互に配置され、前記押圧片には前記遊星歯車の自転を規制する規制手段が固着されており、
前記入力軸が回転したときは、その回転方向に応じて、前記規制手段が前記２つの遊星歯車機構のいずれか一方の遊星歯車の自転を規制すると共に、前記押圧片が前記凹部で前記キャリアと当接してこれを周方向に押し、前記２つの遊星歯車機構が前記出力軸と一体となって回転し、
前記出力軸が前記入力軸からの回転と同じ方向に回転したときは、前記２つの遊星歯車機構の太陽歯車のうち、自転が規制されていない遊星歯車と噛み合う太陽歯車に前記出力軸の回転が伝達されるが、前記出力軸の回転が伝達された前記太陽歯車と噛み合う前記遊星歯車は空転し、前記出力軸から前記入力軸への回転の伝達は遮断される、ことを特徴とするクラッチ。
【請求項２】
前記規制手段の断面は外歯歯車の一部を切り欠いた形状である、請求項１に記載のクラッチ。
【請求項３】
前記キャリアに形成された前記凹部の側面の形状は前記押圧片の側面の形状と同一である、請求項１又は２に記載のクラッチ。
【請求項４】
前記キャリアは、板状の基部と、前記基部から軸方向に延びる支持片とを備え、
前記支持片は、前記キャリアと一体的に結合されるキャリア補助板によって軸受され、前記基部と前記キャリア補助板とは軸方向に間隔をおいて対向する、請求項１乃至３のいずれかに記載のクラッチ。
【発明の詳細な説明】
【技術分野】
【０００１】
本発明は、入力軸と出力軸との間の動力伝達状態を変更するクラッチ装置、特に、入力軸からの正・逆回転の動力は出力軸に伝達するが、入力軸と同じ方向にこれに対して回転しようとする出力軸の回転は空転して入力軸に伝達しないクラッチに関するものである。
【背景技術】
【０００２】
モーターなどの駆動源から機械装置あるいは作業機器等を駆動する動力伝達系では、駆動する機器の特性に対応するよう各種の伝達装置が使用される。このような伝達装置の一つにワンウェイクラッチがある。ワンウェイクラッチは広く知られた伝達装置であり、これには、正逆いずれか一方の回転のみを伝達し、いずれか他方の回転は空転して遮断される形式（空転式）のものがある。
【０００３】
空転式のワンウェイクラッチは、例えば、自動車の電動スライドドアや自動開閉便座において駆動源のモーターを保護する目的で使用される。即ち、従動部材であるスライドドアや便座がモーターによって開閉動している最中に、この開閉動と同じ方向に従動部材が外力によって強制的に作動させられた場合には、この従動部材の作動によってモーターが強制的に回転され、損傷してしまう場合がある。これを防止するために、モーターと従動部材との間に空転式のワンウェイクラッチを設け、モーターからの回転は従動部材に伝達するが、従動部材に加えられたモーターの回転と同じ方向の回転はこれをモーターに対して空転させて伝達しないようにする。
【０００４】
空転式のワンウェイクラッチとしては、例えば、本出願人の創案に係る特許第３５０１３５２号に記載されたワンウェイクラッチが知られており、これについて、図１０を参照して説明する。
図１０に示すとおり、このワンウェイクラッチでは、シャフトのような内側部材Ｉ（入力軸）と外輪のような外側部材Ｏ（出力軸）とが楔形のポケットＰを複数形成しており、そのポケットＰにはローラーＲが配置されている。内側部材Ｉが外側部材Ｏに対して同図において時計方向に回転するときは、ローラーＲはポケットＰ内を楔の広い方向に移動して内側部材Ｉと外側部材Ｏとの間で噛み込むことはなく、内側部材Ｉと外側部材Ｏは互いに回転することができる（相対回転可能な状態）。つまり、内側部材Ｉと外側部材Ｏは空転する。しかし、内側部材Ｉが外側部材Ｏに対して同図において反時計方向に回転、つまり逆回転するときは、ローラーＲはポケットＰ内を楔の狭い方向に移動して内側部材Ｉと外側部材Ｏとの間で噛み込みを生じ、内側部材Ｉと外側部材Ｏは互いに回転することができない（相対回転不能な状態）。
【先行技術文献】
【特許文献】
【０００５】
【特許文献１】特許第３５０１３５２号公報
【発明の概要】
【発明が解決しようとする課題】
【０００６】
ワンウェイクラッチは、上述したとおり、正逆いずれか一方の回転のみを伝達し、いずれか他方の回転は遮断するものである。そのため、これを正逆両方向に回転するモーターの保護を目的に使用する場合には、相互に反対方向の回転を伝達可能とする２つのワンウェイクラッチを設け、従動部材の正回転時と逆回転時とで２つのワンウェイクラッチを電子制御によって切り替えて使用する必要があり、装置が複雑なものとなる。
【課題を解決するための手段】
【０００７】
上記の課題を解決するため、本発明のクラッチは、出力軸に連結された２つの遊星歯車機構を軸方向に重ねて配置し、夫々の遊星歯車機構の太陽歯車は相互に反対方向に空転するよう設定された一方向クラッチを介して出力軸に連結され、入力軸が回転したときは、その回転方向に応じて、一方の遊星歯車機構が出力軸と一体となって回転すると共に他方の遊星歯車機構は空転し、出力軸が入力軸からの回転と同じ方向に回転したときは、一方の遊星歯車機構の太陽歯車にのみ出力軸の回転が伝達されるが、この太陽歯車と噛み合う遊星歯車が空転することで、入力軸への回転の伝達が遮断されるようにしたものである。すなわち、本発明は、
「共通の中心軸の周りで回転可能な入力軸及び出力軸と、前記出力軸に連結された２つの遊星歯車機構とを備え、
前記２つの遊星歯車機構は夫々軸方向に重ねて配置され、前記出力軸に一方向クラッチを介して連結された太陽歯車、及び前記太陽歯車と噛み合う遊星歯車を備え、前記２つの遊星歯車機構の太陽歯車に配設された一方向クラッチの各々は前記出力軸に対して相互に反対の回転方向で空転するよう設定され、前記２つの遊星歯車機構の遊星歯車は夫々前記共通の中心軸の周りを回転可能な共通のキャリアによって回転可能に軸支されており、
前記入力軸には押圧片が固着されると共に前記キャリアには前記押圧片が嵌り込む凹部が形成され、前記２つの遊星歯車機構の遊星歯車は前記凹部の周方向両側に相互に配置され、前記押圧片には前記遊星歯車の自転を規制する規制手段が固着されており、
前記入力軸が回転したときは、その回転方向に応じて、前記規制手段が前記２つの遊星歯車機構のいずれか一方の遊星歯車の自転を規制すると共に、前記押圧片が前記凹部で前記キャリアと当接してこれを周方向に押し、前記２つの遊星歯車機構が前記出力軸と一体となって回転し、
前記出力軸が前記入力軸からの回転と同じ方向に回転したときは、前記２つの遊星歯車機構の太陽歯車のうち、自転が規制されていない遊星歯車と噛み合う太陽歯車に前記出力軸の回転が伝達されるが、前記出力軸の回転が伝達された前記太陽歯車と噛み合う前記遊星歯車は空転し、前記出力軸から前記入力軸への回転の伝達は遮断される」
ことを特徴とするクラッチとなっている。
【０００８】
本発明においては、以下のような実施形態であるのが好ましい。すなわち、
前記規制手段の断面は外歯歯車の一部を切り欠いた形状であるのが好ましい。
前記キャリアに形成された前記凹部の側面の形状は前記押圧片の側面の形状と同一であるのが好ましい。
前記キャリアは、板状の基部と、前記基部から軸方向に延びる支持片とを備え、前記支持片は、前記キャリアと一体的に結合されるキャリア補助板によって軸受され、前記基部と前記キャリア補助板とは軸方向に間隔をおいて対向するのが好ましい。
【発明の効果】
【０００９】
本発明のクラッチでは、２つの遊星歯車機構が軸方向に重ねて出力軸に連結される。２つの遊星歯車機構は夫々、出力軸に一方向クラッチを介して連結された太陽歯車と、太陽歯車と噛み合う遊星歯車とを備え、２つの遊星歯車機構の遊星歯車は夫々共通のキャリアによって回転可能に軸支される。２つの遊星歯車機構の太陽歯車に配設された一方向クラッチの各々は出力軸に対して相互に反対の回転方向で空転するよう設定される。入力軸には押圧片が固着されると共にキャリアには入力軸に固着された押圧片が嵌り込む凹部が形成され、２つの遊星歯車機構の遊星歯車は凹部の周方向両側に各々配置される。そして、押圧片には遊星歯車の自転を規制する規制手段が固着される。
【００１０】
後に図８を参照して詳述するとおり、入力軸が回転すると、その回転方向に応じて、規制手段が２つの遊星歯車機構のいずれか一方の遊星歯車の自転を規制すると共に、押圧片が凹部でキャリアと当接してこれを周方向に押す。これによって、２つの遊星歯車機構のうち、自転が規制された遊星歯車を含む遊星歯車機構は出力軸と一体となって回転し、入力軸から出力軸へ回転が伝達される。このとき、自転が規制されていない遊星歯車を含む遊星歯車機構にあっては、出力軸と一方向クラッチとの間で噛み込みが生じて太陽歯車が回転すると共に、これと噛み合う遊星歯車も回転（つまり空転）する。
【００１１】
これに対して、出力軸が入力軸からの回転と同じ方向にこれに対して回転すると、
自転が規制された遊星歯車を含む遊星歯車機構にあっては、ローラーは出力軸の外周面との噛み合いが解除される方向へ移動されるため、出力軸の回転が入力軸に伝達されることはない。自転が規制されていない遊星歯車を含む遊星歯車機構にあっては、ローラーは出力軸の外周面との噛み合いが生じる方向へ移動させられるが、太陽歯車と噛み合う遊星歯車は自転が規制されていないため、太陽歯車及び遊星歯車は共に空転する。従って、出力軸の回転が入力軸に伝達されることはない。
【００１２】
本発明のクラッチにあっては、入力軸の正・逆いずれの回転も出力軸に伝達され、入力軸の回転が正・逆いずれの方向であっても、出力軸が入力軸からの回転と同じ方向に回転した場合には、出力軸から入力軸への回転の伝達は遮断される。これにより、本発明のクラッチを正逆両方向に回転するモーターの保護を目的に使用した際には、２つのワンウェイクラッチを電子制御によって切り替えて使用する必要はなく、装置を単純なものにできてコストを削減することができる。
【図面の簡単な説明】
【００１３】
【図１】本発明のクラッチの実施例を示す構造図である。
【図２】図１に示すクラッチにおけるハウジングの内部を示す斜視図である。
【図３】図１に示すクラッチの分解斜視図である。
【図４】図１に示すクラッチのハウジングを示す図である。
【図５】図１に示すクラッチの入力軸を示す図である。
【図６】図１に示すクラッチの遊星歯車機構の構成部品を単体で示す図である。
【図７】図１に示すクラッチのキャリアを示す図である。
【図８】図１に示すクラッチの入力軸正回転時の作動を示す図である。
【図９】規制手段の変形例を示す図である。
【図１０】従来のワンウェイクラッチの構造を示す図である。
【発明を実施するための形態】
【００１４】
以下、図面に基づいて本発明のクラッチについて説明する。図１乃至３に、本発明のクラッチの実施例の全体構造を示す。図４乃至７に、主要構成部品を単体の状態で示す。図８に、本発明のクラッチの作動の説明図を示す。
【００１５】
図１に示すクラッチは、固定された断面略円形のハウジング２を備えており、このハウジング２内には、共通の回転軸（中心軸）ｏの周りに回転可能な入力軸４及び出力軸６が設けられている。ハウジング２内には更に、出力軸６に各々連結された２つの遊星歯車機構（第１遊星歯車機構８ａ及び第２遊星歯車機構８ｂ）と、これらが有する遊星歯車を夫々回転可能に軸支するキャリア１０とが配置されている。
【００１６】
図１乃至３と共に図４を参照して説明すると、ハウジング２は、略円筒形状の周壁部１４と、円板形状の端板部１６とからなるカップ状部材であって、内側には略円柱形状の空間部１８が設けられている。周壁部１４の外周面にはハウジング２を固定するための凹状の取付溝２０が周方向に等角度間隔をおいて４つ形成されている。周壁部１４の開口側端面には円板形状のシールド体２２が圧入され、空間部１８は閉鎖される。ハウジング２の中心軸は入力軸４及び出力軸６の回転軸ｏと同一であり、端板部１６及びシールド体２２２には夫々円形の中央穴が形成されている。
【００１７】
図１乃至３と共に図５を参照して説明すると、入力軸４は円板形状の基部２４と、基部２４の中央から軸方向片側に延びる軸部２６とを備え、中央には軸方向に貫通して延びる断面円形の穴２８が形成されている。軸部２６の断面は円環形状の外周面の一部を直線状に切り欠いた形状であって、軸部２６にはモーターのような図示しない適宜の駆動源が連結される。基部２４の外周面には押圧片３０が固着されている。図示の実施例においては、押圧片３０は直径方向に対向して２つ設けられており、押圧片３０の各々は、断面が扇形状であって、周方向両側が夫々矩形平面である。そして、押圧片３０の各々には後述する第１遊星歯車及び第２遊星歯車の自転を規制する規制手段３２が固着されている。規制手段３２は押圧片３０の中央において軸部２６とは反対側の軸方向に向かって直線状に延びている。図示の実施例においては、規制手段３２の断面は外歯歯車の径方向外側部を円弧状に切り欠いた形状であり、この外歯歯車の外側縁は図５の右図において押圧片３０の外側縁と面一である（図２及び３も参照されたい）。
出力軸６は断面円形の棒状部材であって、これがスライドドアや便座のような図示しない適宜の従動部材に適宜の方法によって連結される。
【００１８】
図１乃至３と共に図６を参照して説明すると、第１遊星歯車機構８ａ及び第２遊星歯車機構８ｂは共に、一方向クラッチ３６を介して出力軸６に連結される太陽歯車３８と、太陽歯車３８と噛み合う遊星歯車４０とを備えている。図示の実施例においては、上記一方向クラッチ、太陽歯車、及び遊星歯車は何れも第１遊星歯車機構８ａ及び第２遊星歯車機構８ｂにおいて共通部品であって、後述するとおり、配置する際の夫々の向きを入れ替えることによって第１遊星歯車機構８ａ又は第２遊星歯車機構８ｂのいずれかの構成部品となる。
【００１９】
本実施例で用いられる一方向クラッチ３６は、出力軸６の周囲に配置された複数の楔形空間に、ばね４２で噛み込み方向に押されたローラー４４を設置したものであり、これは一方向クラッチとしては周知な形態であるため本明細書ではその詳細な説明を省略する。一方向クラッチ３６は太陽歯車３８の内側に嵌め込まれてこれと一体となる。そして、一方向クラッチ３６は、後述するとおり、ここに挿通される出力軸６の回転がローラー４４を楔の狭い方向へ移動させる場合には、ローラー４４が出力軸６との間で噛み込んで、太陽歯車３８を出力軸６と一体回転させる。一方、出力軸６の回転がローラー４４を楔の広い方向へ移動させる場合には、ローラー４４は出力軸６との間で噛み込まず、出力軸６は太陽歯車３８に対して空転する。遊星歯車４０には軸方向片側に向かって直線状に延びる筒壁４６が設けられている。筒壁４６の外径は遊星歯車４０のピッチ円直径よりも小さく、延出長さは太陽歯車３８の幅（つまり軸方向長さ）と実質上同一である。
【００２０】
図１乃至３と共に図７を参照して説明すると、キャリア１０は円環板状の基部４８を備えている。基部４８には入力軸４の押圧片３０が嵌り込む凹部５０が形成されている。図示の実施例においては、凹部５０は直径方向において対向して２つ形成されおり、凹部５０の各々は扇形状であって、周方向両側は夫々矩形平面（つまり押圧片３０の側面の形状と同一）である。基部４８における凹部５０の周方向両側にはこれと近接して、遊星歯車４０を軸支するキャリア軸５２が固着されている。図示の実施例においては、キャリア軸５２は周方向に等角度間隔をおいて４つ配置されている。基部４８には、キャリア軸５２と平行で、これよりも幾分長い支持片５４も固着されている。図示の実施例においては、支持片５４の断面は扇形状であって、直径方向に対向して２つ設けられている。キャリア１０は更にキャリア補助板５６を備えている。キャリア補助板５６の片側面には受け孔５８が形成されており、受け孔５８が支持片５４を軸受することで、基部４８とキャリア補助板５６とは軸方向に間隔をおいて対向して一体的に係合される。キャリア補助板５６の他側面には円環状の溝６０が形成されている。
【００２１】
図１乃至３を参照して説明すると、上述した各構成部品は以下のような状態でハウジング２の空間部１８に収容される。
キャリア１０は、基部４８がハウジング２の端板部１６と接触するようにして配置される。入力軸４は、基部２４がキャリア１０の中央穴に嵌め合わされると共に押圧片３０がキャリア１０の基部４８に形成された凹部５０に嵌め合わされ、軸部２６がハウジング２の端板部１６を貫通する。第１遊星歯車機構８ａはハウジング２の端板部１６側、第２遊星歯車機構８ｂはハウジング２の開口端側に夫々軸方向に重ねて配置される（以下では、第１遊星歯車機構を構成する部品については「ａ」を、第２遊星歯車機構を構成する部品については「ｂ」を夫々番号の末尾に付して説明する）。このとき、一方向クラッチ３６ａ及び一方向クラッチ３６ｂが出力軸６の空転を許容する回転方向は相互に逆に設定される。つまり、一方向クラッチ３６ａはここに挿通される出力軸６が図１のＡ−Ａ断面図の左方から見て（つまり断面図Ｂ−Ｂにおいて）反時計方向に回転するときに出力軸６に対して空転し、一方向クラッチ３６ｂは出力軸６が図１のＡ−Ａ断面図の右方から見て（つまり断面図Ｃ−Ｃにおいて）反時計方向に回転するときに出力軸６に対して空転するように設定される。遊星歯車４０ａ及び遊星歯車４０ｂは、周方向に見て交互になるようにキャリア軸５２に挿通される。キャリア補助板５６は、キャリア１０の支持片５４の延出端部に受け孔５８が嵌め合わされて、キャリア１０と組み合わされ、第１遊星歯車機構８ａ及び第２遊星歯車機構８ｂはキャリア１０の基部４８とキャリア補助板５６とによって軸方向に支持される。そして、キャリア補助板５６の溝６０に環状の波ばね６２が嵌め込まれた状態で、シールド体２２が空間部１８に強制されこれを閉鎖する。そのため、キャリア１０にはキャリア補助板５６を介して波ばね６２による負荷が付加される。そして、出力軸６が中央に挿通される。
【００２２】
続いて、図１に示すクラッチの作動について、図８を参照して説明する。
図８において矢印で示すように、駆動源のモーターにより入力軸４がＡ−Ａ断面図の右方から見て時計方向に回転（以下これを正回転とする）すると、入力軸４に固着された押圧片３０も同一方向に回転し、押圧片３０がキャリア１０の凹部５０において基部４８と当接してこれを押す。このとき、第一遊星歯車機構８ａにあっては、断面図Ｂ−Ｂに示すとおり、押圧片３０に固着された規制手段３２が遊星歯車４０ａと噛み合い、遊星歯車４０ａの自転は規制され、入力軸４の回転が遊星歯車４０ａを介して太陽歯車３８ａに伝達される。太陽歯車３８ａと一体である一方向クラッチ３６ａが同断面図の矢印で示す方向に回転をすると、一方向クラッチ３６ａのローラー４４ａが出力軸６の外周面との間で噛み込み、一方向クラッチ３６ａと出力軸６とは相対回転不能となり一体で回転することとなる。換言すると、入力軸４の正回転は第一遊星歯車機構８ａを介して出力軸４に伝達される。
【００２３】
このとき、第二遊星歯車機構８ｂにあっては、断面図Ｃ−Ｃにおいて矢印で示すとおり、出力軸６と一方向クラッチ３６ｂとの間で噛み込みが生じて太陽歯車３８ｂが回転すると共に、これと噛み合う遊星歯車４０ｂも回転する。
【００２４】
次に、入力軸４が正回転しているときに、出力軸６が入力軸４に対して正回転しようとする場合について説明する。この場合、第一遊星歯車機構８ａにあっては、図８の断面図Ｂ−Ｂに示すとおり、ローラー４４ａは出力軸６の外周面との噛み合いが解除される方向（つまり同断面図において反時計方向）へ移動されるため、出力軸６の回転が一方向クラッチ３６ａを介して入力軸４に伝達されることはない。第二遊星歯車機構８ｂにあっては、図８の断面図Ｃ−Ｃに示すとおり、ローラー４４ｂは出力軸６の外周面との噛み合いが生じる方向（つまり同断面図において時計方向）へ移動させられるが、太陽歯車３８ｂと噛み合う遊星歯車４０ｂは自転が規制されていないため、太陽歯車３８ｂ及び遊星歯車４０ｂは共に空転する。従って、出力軸６の回転が一方向クラッチ３６ｂを介して入力軸４に伝達されることはない。
【００２５】
入力軸４が逆回転した場合には、入力軸４の回転は第二遊星歯車機構８ｂを介して出力軸６に伝達される。全体的な作動は、入力軸４が正回転したときと同じであるので詳細な説明については省略する。入力軸４が逆回転しているときに、出力軸６が入力軸４に対して逆回転した場合も、出力軸６の回転が一方向クラッチ３６ａ及び３６ｂを介して入力軸４に伝達されることはない。
【００２６】
以上のことから、本発明のクラッチにあっては、入力軸４の正・逆いずれの回転も出力軸６に伝達される。そして、入力軸４の回転が正・逆いずれの方向であっても、出力軸６が入力軸４からの回転と同じ方向に相対回転した場合には、出力軸６から入力軸４への回転の伝達は遮断される。これにより、本発明のクラッチを正逆両方向に回転するモーターの保護を目的に使用した際には、２つのワンウェイクラッチを電子制御によって切り替えて使用する必要はなく、装置を単純なものにできてコストを削減することができる。
【００２７】
以上詳述したように、本発明のクラッチは、出力軸に連結された２つの遊星歯車機構を軸方向に重ねて配置し、夫々の遊星歯車機構の太陽歯車は相互に反対方向に空転するよう設定された一方向クラッチを介して出力軸に連結され、入力軸が回転したときは、その回転方向に応じて、一方の遊星歯車機構が出力軸と一体となって回転すると共に他方の遊星歯車機構は出力軸に対して空転し、出力軸が入力軸からの回転と同じ方向に相対回転したときは、一方の遊星歯車機構の太陽歯車にのみ出力軸の回転が伝達されるが、出力軸の回転が伝達された太陽歯車と噛み合う遊星歯車が空転することで、入力軸への回転の伝達が遮断されるようにしたものである。
【００２８】
本発明は上述した実施例に限定されるものではなく、本発明の範囲を逸脱することなく種々の変形乃至修正が可能である。例えば、上述した実施例においては、規制手段は外歯歯車の一部を切り取った形状であったが、これに替えて、円弧状部材の周方向両側端にのみ外歯を設けた形状（図９（ａ））や、遊星歯車に噛み込むピン（図９（ｂ））であってもよい。
【符号の説明】
【００２９】
２：ハウジング
４：入力軸
６：出力軸
８ａ及び８ｂ：第一遊星歯車機構及び第二遊星歯車機構
１０：キャリア
３０：押圧片
３２：規制手段
３６ａ及び３６ｂ：一方向クラッチ
３８ａ及び３８ｂ：太陽歯車
４０ａ及び４０ｂ：遊星歯車
５６：キャリア補助板
【図１】
2020008083.tif 000003
【図２】
2020008083.tif 000004
【図３】
2020008083.tif 000005
【図４】
2020008083.tif 000006
【図５】
2020008083.tif 000007
【図６】
2020008083.tif 000008
【図７】
2020008083.tif 000009
【図８】
2020008083.tif 000010
【図９】
2020008083.tif 000011
【図１０】
2020008083.tif 000012